(57)【要約】本発明は額と頭髪に帽子を被った跡がない帽子に関するもので、各種の帽子類において、帽子の内枠の前方部に額が触れないように空間部を形成し、帽子を支持するよう一定部分に突起がある支持帯を設置するが、頭状によって中心位置を調節して額が触れなくても被った帽子が維持されながら額と頭髪に跡が残らなく、特に帽子により化粧が消されなく、通気が良くなって汗による不快感・問題点などがなく、脱毛促進が予防され、頭全体に圧着感がないため重苦しい感じがない効果がある。【選択図】図１
2004538386.tif 000002
【特許請求の範囲】
【請求項１】
各種の帽子類において、
帽子の内枠が額に接触されないように空間部２０と結着孔９０‐１と外面に凸部４０‐１で成型した弾性の内枠１０は、前と横の頭部分を結着孔９０‐１がある補助内枠１６０は内枠と１０ｍ／ｍ内の間隔を置き設置し、結着突起９０と突起７０で成型した支持台８０を内枠の４個所と補助内枠の２個所に嵌めて突起７０と峰１００が額に触れなく頭髪に跡が生じなく不便なしに被った帽子が維持されるように構成したことを特徴とする額と頭髪に帽子を被った跡がない帽子。
【請求項２】
前記帽子の前庇１３０に形成された両側庇末端部分１４０の結合口１１０‐１に横枠３０の結合突起１１０で結合された面に庇末端部分１４０の結着孔９０‐１と横枠３０の結着孔９０‐１に支持台８０の結着突起９０を嵌めることにより、横枠３０と帽子庇１３０のみで額が触れないように内枠１０の役割をすることを特徴とする請求項１記載の額と頭髪に帽子を被った跡がない帽子。
【請求項３】
前記内枠１０の凸部４０‐１を帽子に裁縫した支え台５０の凹部４０に嵌めて内枠１０を固定させて支持台８０を設置することを特徴とする請求項１記載の額と頭髪に帽子を被った跡がない帽子。
【請求項４】
前記内枠１０の結着孔９０‐１を形成しなくその代りにベルクロ凹部６０にし、支持帯８０の結着突起９０を形成しなくその代りにベルクロ凸部６０‐１にして、内枠のベルクロ凹部に支持帯のベルクロ凸部を付着して成った請求項１記載の額と頭髪に帽子を被った跡がない帽子。
【請求項５】
前記軟性の峰１００、マグネットが内蔵された峰１００‐１または峰と類似な形状の類似品を突起７０末端に被せて固定させたことを特徴とする請求項１乃至４記載の額と頭髪に帽子を被った跡がない帽子。
【請求項６】
前記内枠１０の外部にある凸部４０‐１を形成しなくその代りにベルクロ凸部６０‐１を付着し、凹部４０がある支え台５０の代りにベルクロ凹部６０を帽子に裁縫して内枠１０を付着して成った請求項３記載の額と頭髪に帽子を被った跡がない帽子。
【発明の詳細な説明】
【０００１】
【発明が属する技術分野】
本発明は額が触れないように空間部分を形成した帽子を支持する支持台の調節が可能であり、その支持台の突起や峰が頭皮にのみ触れるため跡が生じなく、額と頭髪が圧着されないため通風が良くなって重苦しくなく、化粧が消されない帽子に関する。
【０００２】
【従来の技術】
従来の脱毛および毛髪圧着防止用帽子の内枠（韓国実用新案第８６‐４９１号）は、ベルト形状を採った平面状の帽子内枠の内側に一定の高さを有する多数の突起を一体に配列形成しているが、額が接触する部分には突起と同じ高さの額接触台で構成していた。
【０００３】
しかし、このような従来の脱毛および毛髪圧着防止用内枠は、不要な多数の突起と接触台は実用性に問題点があった。
【０００４】
本発明は額が触れないように空間部分を形成した帽子を支持する中心支持台の突起と峰が頭皮にのみ触れるようにしたものである。
【０００５】
【発明が解決しようとする課題】
従って、本発明は前記従来の問題点を勘案して案出したものであって、本発明の目的は弾性の有る内枠に空間部分を形成し帽子を支持する支持台８０を中心位置に固定させて突起の峰１００のため頭皮が痛くないようにし、被った帽子がずれ落ちなく帽子を支えながら額と頭髪に帽子を被った後が生じないようにした帽子を提供することにある。
【０００６】
【課題を解決するための手段】
このような目的を達成するための本発明の帽子は、内枠の前方部に額が触れないように空間部を形成し、帽子を支えるよう頭の両側部分４個所と後面２個所に支持台を設定して頭状によって中心位置の調節が可能に構成した。
【０００７】
特に、内枠の弾性により中心位置部分である頭の両側部分４個所の支持台が額に触れなくても帽子を被ることができ、後側２個所の支持台は補助役割をするようにして頭髪が押圧されないように構成したのである。
【０００８】
【実施例】
以下、添付図面らを参照して本発明の望ましい実施例を詳細に説明する。
【０００９】
図１〜３に図示した本発明の額と頭髪に帽子を被った跡が生じないように構成した帽子の内枠１０は、額の前に空間部２０を設け内部面には頭皮にのみ触れるよう突起７０と峰１００で形成された支持台８０を両側頭部分４個所と後頭部分２個所に設置するにおいて、頭状によって中心位置の設定が可能に構成し、接触突起７０の末端には軟性で成型された峰１００を被せて固定し、ゴムスポンジ１７０を支持台８０の下に設置して突起７０による頭皮刺激を減少させるように構成した。
【００１０】
また、本発明において、峰１００は内部にマグネット１００‐１を内蔵して指圧効果や血行促進作用ができるようにし、峰と類似の類似品らを突起７０の末端に被せることができ、または突起の代りに内枠１０面に突起７０と峰１００を兼ねた形態の類似品を付着して突起の役割をするようにすることもできるのである。
【００１１】
そして、支持台８０の突起７０は、支持台一つに４個ずつ形成し、前記内枠内面に構成した４個所の支持台が中心支持役割をし、後面２個所の支持台は補助内枠１６０に設置し、補助内枠は内枠１０と１０ｍ／ｍ内の間隔を置き帽子の類によって後面一部や全部分を裁縫するのである。
【００１２】
一例として、サンキャップ類は内枠１０の４個所の支持台８０だけ構成し、その外の全ての帽子類には補助内枠１６０が適用されるのである。
【００１３】
そして、突起７０が一体の支持台８０を補助内枠１６０に設置するのを直接補助内枠成型時に突起７０を一体にして構成することもできるのである。
【００１４】
図４，５は本発明のまた別の実施例を図示したものであって、スポーツ帽子類の三日月のように曲がった帽子の庇においては曲がった庇の弾力を利用して額部分にのみ内枠１０がなくても曲がった前庇１３０が内枠の役割をすることができるのである。即ち、庇１３０の両側端の庇末端部分１４０に結合口１１０‐１と結着孔９０‐１を設けて横枠３０の結合突起１１０を結合口１１０‐１に嵌めて横枠３０と庇末端部分１４０を結合し、支持台８０の結着突起９０を結合された横枠と庇末端部分の結着孔９０‐１に嵌めると額部分に曲がった庇の弾力により内枠の役割をするのである。
【００１５】
そして、図６に図示された通り、２列の凹部４０が形成された長さ約３０ｍ／ｍ内の支え台５０を額と補助内枠１６０の座を除く帽子内の両側横頭部分の４個所に裁縫し、前記凹部４０に内枠の凸部４０‐１を嵌めて内枠１０が固定されるようにも構成したのであり、凹部４０がある支え台５０の代りにその位置にベルクロ凹部６０を裁縫し、内枠の凸部４０‐１の代りにベルクロ凸部６０‐１を付着して、着脱しながらも内枠１０が帽子内に固定されるようにもすることができるのである。
【００１６】
図７に図示した本発明の支持台の別の例を説明すると、内枠面の支持台を挿し込む位置にベルクロ凹部６０を付着し支持台のゴムスポンジ１７０の下にベルクロ凸部６０‐１を付着するため、結着孔９０‐１に結着突起９０を嵌めたような役割をするようになるのである。
【００１７】
そして、本発明において予想されるのは、空間部２０を有する内枠１０と突起７０を一体に成型し、峰１００またはそれと類似な形状で峰の役割をするよう付着して利用することもでき、或は内枠に直接峰またはそれと類似な形状で峰の役割をするように付着して利用することもでき、または内枠に直接峰またはそれと類似な形状で成ったもの付着することもできるのである。
【００１８】
例えば、本発明は前述の実施例に限定されなく、特許請求の範囲で請求した本発明の要旨を脱することなく本発明の属する技術分野で通常の知識を有する者ならば多様な変形実施が可能であるのは勿論であり、そのような変形は本発明の請求範囲内に有ることになる。
【００１９】
【発明の効果】
本発明は前記実施例により説明した通り、頭髪に直接密着されなく特に額が触れないため額と頭髪に跡が生じない効果があり、特に帽子により化粧が消されなく、通気が良くなって汗による不快感・問題点などや脱毛促進を予防することができ、頭全体に圧着感がないため重苦しくない優れた効果があるので、全世界のどのような帽子類にも活用が可能であるから帽子産業上非常に有用な画期的な発明である。
【図面の簡単な説明】
【図１】
本発明の望ましい実施例であって、額と頭髪に帽子を被った跡が残らないように構成した帽子を図示した斜視図である。
【図２】
（ａ）  図１の”Ａ”部分を図示した断面図である。
（ｂ）  図２ａの別の実施例を図示した断面図である。
【図３】
図１のＡ‐Ａ’線を図示した断面図である。
【図４】
本発明の別の実施例を図示した斜視図である。
【図５】
図４の”Ｂ”部分を拡大図示した断面図である。
【図６】
本発明のまた別の実施例を図示した斜視図である。
【図７】
図６の”Ｃ”部分を図示した断面図である。
【符号の説明】
１０      内枠
２０      空間部
３０      横枠
４０      凹部
４０−１  凸部
５０      支え台
６０      ベルクロ凹部
６０−１  ベルクロ凸部
７０      突起
８０      支持台
９０      結着突起
９０−１  結着孔
１００    峰
１００−１  マグネット
１１０    結合突起
１１０−１  結合口
１３０    前庇
１４０    庇末端部分
１６０    補助内枠
１７０    ゴムスポンジ
【図１】
2004538386.tif 000003
【図２】
2004538386.tif 000004
【図３】
2004538386.tif 000005
【図４】
2004538386.tif 000006
【図５】
2004538386.tif 000007
【図６】
2004538386.tif 000008
【図７】
2004538386.tif 000009
【国際公開パンフレット】
2004538386.tif 000010
2004538386.tif 000011
2004538386.tif 000012
2004538386.tif 000013
2004538386.tif 000014
2004538386.tif 000015
2004538386.tif 000016
2004538386.tif 000017
2004538386.tif 000018
2004538386.tif 000019
2004538386.tif 000020
2004538386.tif 000021
2004538386.tif 000022
【国際公開パンフレット（コレクトバージョン）】
2004538386.tif 000023
2004538386.tif 000024
【国際調査報告】
2004538386.tif 000025